(57)【要約】【課題】  アンカー穴の形成に際して、穴形成部材を必ずしも完全に除去する必要がないばかりか、そのままコンクリート構造物内に残置することも可能で、しかも、アンカーを強固に取り付けることのできる安価なアンカー穴形成用治具と、その治具を使用するアンカー穴形成方法ならびにアンカー取り付け方法。【解決手段】  コンクリート構造物にアンカー取り付け用のアンカー穴を形成するべく、所定の体積と形状を保持する保形部材１と、保形部材１の外周に外嵌して取り付け可能な穴形成部材２を備えているアンカー穴形成用治具で、穴形成部材２が、繊維構造体により構成されているアンカー穴形成用治具、および、その治具を使用してコンクリート構造物にアンカー穴を形成するアンカー穴形成方法と、その治具を使用してコンクリート構造物にアンカーを取り付けるアンカー取り付け方法。【選択図】        図１
2005207191.tif 000002
【特許請求の範囲】
【請求項１】
コンクリート構造物にアンカー取り付け用のアンカー穴を形成するべく、所定の体積と形状を保持する保形部材と、その保形部材の外周に外嵌して取り付け可能な穴形成部材を備えているアンカー穴形成用治具であって、
前記穴形成部材が、繊維構造体により構成されているアンカー穴形成用治具。
【請求項２】
前記穴形成部材が、有底の筒状である請求項１に記載のアンカー穴形成用治具。
【請求項３】
前記穴形成部材が、その筒状の周方向に切断用の切り目を備えている請求項２に記載のアンカー穴形成用治具。
【請求項４】
前記繊維構造体が、織布または不織布である請求項１〜３のいずれか１項に記載のアンカー穴形成用治具。
【請求項５】
請求項１〜４のいずれか１項に記載の治具を使用してコンクリート構造物にアンカー穴を形成するアンカー穴形成方法であって、
前記保形部材に前記穴形成部材を外嵌して取り付けた状態で、その保形部材を所定の位置に保持して周囲にコンクリートを打設し、コンクリートが固化した後、その固化したコンクリート構造物内に前記穴形成部材を残置し、前記保形部材を抜き取ってアンカー穴を形成するアンカー穴形成方法。
【請求項６】
請求項１〜４のいずれか１項に記載の治具を使用してコンクリート構造物にアンカーを取り付けるアンカー取り付け方法であって、
前記保形部材に前記穴形成部材を外嵌して取り付けた状態で、その保形部材を所定の位置に保持して周囲にコンクリートを打設し、コンクリートが固化した後、その固化したコンクリート構造物内に前記穴形成部材を残置し、前記保形部材を抜き取ってアンカー穴を形成し、そのアンカー穴内にアンカーを位置させ、かつ、モルタルを充填して前記アンカーをコンクリート構造物に取り付けるアンカー取り付け方法。
【発明の詳細な説明】
【技術分野】
【０００１】
本発明は、コンクリート構造物にアンカー取り付け用のアンカー穴を形成するべく、所定の体積と形状を保持する保形部材と、その保形部材の外周に外嵌して取り付け可能な穴形成部材を備えているアンカー穴形成用治具、および、その治具を使用してコンクリート構造物にアンカー穴を形成するアンカー穴形成方法と、その治具を使用してコンクリート構造物にアンカーを取り付けるアンカー取り付け方法に関する。
【背景技術】
【０００２】
このようなアンカー穴形成用治具は、例えば、アンカーの一例である手摺り用の柱をコンクリート構造物に取り付ける際、コンクリート構造物に柱取り付け用の穴を形成するために使用するもので、従来、穴形成部材が、使い捨て可能なクッションシート、あるいは、再使用可能なゴムや剛性部材などで構成されたものが知られている。この治具によれば、治具の周囲に打設したコンクリートが固化した後、その固化したコンクリート構造物からクッションシートやゴムなどからなる穴形成部材を取り除いて柱用の穴を形成し、その穴内に柱の基部を位置させ、かつ、モルタルやコンクリートなどを打設して柱を取り付けることになる（例えば、特許文献１参照）。
また、穴形成部材が、それ自体で保形可能な鉄などの金属で形成されて、コンクリート構造物内に残置した状態のまま柱を取り付ける、いわゆる捨て型枠式の穴形成部材も知られている（例えば、特許文献２参照）。
【０００３】
【特許文献１】特開平８−４２８７号公報（第３〜５頁、図１〜図５）
【０００４】
【特許文献２】実公平４−５５１３４号公報（第１〜９図）
【発明の開示】
【発明が解決しようとする課題】
【０００５】
しかし、特許文献１に記載の従来技術では、柱用の穴を形成するに際して、コンクリート構造物に強固に付着しているクッションシートやゴムなどからなる穴形成部材を完全に取り除く必要がある。
つまり、穴形成部材の一部がコンクリート構造物側に残置していると、コンクリート構造物と穴内に充填したモルタルやコンクリートとの接着性が阻害されて、柱の取り付け強度が弱くなるため、穴形成部材を完全に取り除く必要があり、その除去作業が非常に面倒で作業性が悪いという問題があった。
【０００６】
また、特許文献２に記載の従来技術では、穴形成部材を取り除く必要はないが、コンクリート構造物と穴形成部材との取り付け強度、および、その穴形成部材と充填モルタルなどとの取り付け強度を確保するため、穴形成部材に抜脱防止用の凹凸部などを形成しなければならず、穴形成部材のコストが高くなるという問題があった。
その上、穴形成部材を鉄などで形成する場合には、経年に伴って柱とモルタルとの隙間から雨水などが浸入して穴形成部材が腐食し、錆びの発生によってコンクリート構造物の一部が破壊するおそれもあった。
【０００７】
本発明は、このような従来の問題点に着目したもので、その目的は、アンカー穴の形成に際して、穴形成部材を必ずしも完全に除去する必要がないばかりか、そのままコンクリート構造物内に残置することも可能で、しかも、アンカーを強固に取り付けることのできる安価なアンカー穴形成用治具と、その治具を使用するアンカー穴形成方法ならびにアンカー取り付け方法を提供することにある。
【課題を解決するための手段】
【０００８】
本発明の第１の特徴構成は、コンクリート構造物にアンカー取り付け用のアンカー穴を形成するべく、所定の体積と形状を保持する保形部材と、その保形部材の外周に外嵌して取り付け可能な穴形成部材を備えているアンカー穴形成用治具であって、前記穴形成部材が、繊維構造体により構成されているところにある。
【０００９】
本発明の第１の特徴構成によれば、保形部材の外周に外嵌して取り付ける穴形成部材が、繊維構造体により構成されているので、アンカー穴形成用治具の周囲にコンクリートを打設すると、そのコンクリートの一部が繊維構造体に侵入して固化することになる。
したがって、コンクリート固化後に繊維構造体を取り除くと、内表面に多数の凹凸を有するアンカー穴が形成されるので、その後、アンカー穴内にアンカーを位置させて、例えば、モルタルを充填すると、アンカー穴を有するコンクリート構造物に対してモルタルが強固に取り付けられ、例えば、穴形成部材を金属や合成樹脂などで構成し、かつ、その外周に抜脱防止用の凹凸部などを形成するのに比較して、アンカー穴形成用治具のコストダウンを図ることができる。
【００１０】
さらに、その繊維構造体として織布や不織布を使用したり、あるいは、錆びるおそれのないステンレスやカーボンファイバの細線により繊維構造体を形成することも可能で、その場合には、コンクリート構造物内に穴形成部材を残置したまま、あるいは、穴形成部材の一部を取り除いて残りを残置したまま、アンカー穴内にモルタルなどを充填することもできる。その場合には、例えば、充填したモルタルの一部が繊維構造体に侵入して固化するので、コンクリート構造物に対するモルタルの取り付けは強固となり、残置した穴形成部材が腐食するおそれはなく、それどころか、残置した穴形成部材が補強部材として作用し、コンクリート構造物の強化を図ることもできる。
したがって、穴形成部材を構成する繊維構造体の材質を選択すれば、穴形成部材を必ずしも完全に取り除く必要はなく、作業性の向上をも図ることができる。
【００１１】
本発明の第２の特徴構成は、上述したアンカー穴形成用治具であって、前記穴形成部材が、有底の筒状であるところにある。
【００１２】
本発明の第２の特徴構成によれば、穴形成部材が、有底の筒状であるから、その筒の底部分も繊維構造体で構成されることになり、コンクリート構造物に対するモルタルなどの充填物の取り付けがより一層強固となる。
【００１３】
本発明の第３の特徴構成は、上述したアンカー穴形成用治具であって、前記穴形成部材が、その筒状の周方向に切断用の切り目を備えているところにある。
【００１４】
本発明の第３の特徴構成によれば、穴形成部材が、その筒状の周方向に切断用の切り目を備えているので、必要な場合には、その切り目を利用して有底筒状の上方部分を容易に切断することができ、例えば、アンカー穴から穴形成部材の上端が突出するのを回避することができる。
特に、その切断用の切り目を筒状の長手方向に複数本設けておけば、深さの異なるアンカー用穴にも対応することができ、殊更、切断用の用具などを使用することなく、所望の位置で切断することが可能となる。
【００１５】
本発明の第４の特徴構成は、上述したアンカー穴形成用治具であって、前記繊維構造体が、織布または不織布であるところにある。
【００１６】
本発明の第４の特徴構成によれば、穴形成部材を構成する繊維構造体が、織布または不織布であるから、穴形成部材のコストダウンを図ることができ、しかも、上述したように、織布または不織布からなる繊維構造体を残置することにより補強部材として作用させることができ、コンクリート構造体の強化を図ることができる。
【００１７】
本発明の第５の特徴構成は、上述したアンカー穴形成用治具を使用してコンクリート構造物にアンカー穴を形成するアンカー穴形成方法であって、前記保形部材に前記穴形成部材を外嵌して取り付けた状態で、その保形部材を所定の位置に保持して周囲にコンクリートを打設し、コンクリートが固化した後、その固化したコンクリート構造物内に前記穴形成部材を残置し、前記保形部材を抜き取ってアンカー穴を形成するところにある。
【００１８】
本発明の第５の特徴構成によれば、上述したアンカー穴形成用治具を使用してコンクリート構造物にアンカー穴を形成する方法であって、保形部材に穴形成部材を外嵌して取り付けた状態で、その保形部材を所定の位置に保持して周囲にコンクリートを打設するので、コンクリートの一部が繊維構造体に侵入して固化し、コンクリート構造物に対する穴形成部材の取り付けが強固となる。
そして、コンクリートが固化した後、その固化したコンクリート構造物内に穴形成部材を残置し、必要に応じて切断用の切り目を利用して繊維構造体の一部を切断し、保形部材を抜き取ってアンカー穴を形成するので、アンカー穴の表面には、繊維構造体で構成された穴形成部材が位置することになる。
したがって、そのアンカー穴内にアンカーを位置させ、接着性の充填物などを充填したり、機械式の固定具などを使用してアンカーを取り付ける場合、アンカー穴の表面に繊維構造体が位置して、アンカー穴の表面が凹凸状となるため、充填物による接着や機械式固定具による固定が強固となり、その結果、コンクリート構造物へのアンカーの取り付けが強固となるばかりか、残置した繊維構造体によるコンクリート構造体の補強作用も期待できる。
【００１９】
本発明の第６の特徴構成は、上述したアンカー穴形成用治具を使用してコンクリート構造物にアンカーを取り付けるアンカー取り付け方法であって、前記保形部材に前記穴形成部材を外嵌して取り付けた状態で、その保形部材を所定の位置に保持して周囲にコンクリートを打設し、コンクリートが固化した後、その固化したコンクリート構造物内に前記穴形成部材を残置し、前記保形部材を抜き取ってアンカー穴を形成し、そのアンカー穴内にアンカーを位置させ、かつ、モルタルを充填して前記アンカーをコンクリート構造物に取り付けるところにある。
【００２０】
本発明の第６の特徴構成によれば、上述したアンカー穴形成用治具を使用してコンクリート構造物にアンカーを取り付ける方法であって、保形部材に穴形成部材を外嵌して取り付けた状態で、その保形部材を所定の位置に保持して周囲にコンクリートを打設するので、コンクリートの一部が繊維構造体に侵入して固化し、コンクリート構造物に対する穴形成部材の取り付けが強固となる。
そして、コンクリートが固化した後、その固化したコンクリート構造物内に穴形成部材を残置し、必要に応じて切断用の切り目を利用して繊維構造体の一部を切断し、保形部材を抜き取ってアンカー穴を形成して、そのアンカー穴内にアンカーを位置させ、かつ、モルタルを充填してアンカーをコンクリート構造物に取り付けるので、アンカー穴の表面に位置する繊維構造体にモルタルが侵入して固化することになる。
すなわち、繊維構造に対し外側からコンクリートの一部が侵入して固化し、内側からモルタルの一部が侵入して固化することになり、コンクリートとモルタルとの取り付けが強固となり、かつ、繊維構造体による補強作用も期待でき、その結果、コンクリート構造物に対してアンカーを強固に取り付けることができる。
【発明を実施するための最良の形態】
【００２１】
本発明によるアンカー穴形成用治具およびその治具を使用するアンカー穴形成方法とアンカー取り付け方法の実施の形態を図面に基づいて説明する。
アンカー穴形成用治具は、図１に示すように、所定の体積と形状を保持する保持部材１とその保持部材１に外嵌自在な穴形成部材２により構成されている。
保持部材１は、鉄やステンレスなどの金属板、あるいは、合成樹脂により形成されていて、断面形状が矩形で、かつ、底部側ほど断面積が徐々に小さくなるテーパ状の有底中空の保持部材本体１ａと、その保持部材本体１ａの上方開口部を閉鎖する取り外し可能な保持部材蓋体１ｂにより構成されている。
穴形成部材２は、繊維構造体の一例である織布または不織布により形成されていて、保持部材１に外嵌できるように、断面形状が矩形で、かつ、底部側ほど断面積が徐々に小さくなるテーパ状の有底の筒状に形成され、その穴形成部材２には、切断用の切り目としてのミシン目あるいはスリット３が、筒の周方向に沿って、かつ、筒の長手方向に複数本（この実施形態では２本）設けられている。
【００２２】
つぎに、このアンカー穴形成用治具を使用してコンクリート構造物にアンカー穴を形成する方法と、コンクリート構造物にアンカーを取り付ける方法について説明する。
例えば、コンクリート構造物が建屋のベランダであり、そのベランダにアンカーの一例である手摺り用の柱を取り付ける場合、ベランダ自体は、現場にてコンクリートを打設して構築する方法と工場にて予め構築する方法があるが、そのいずれの方法にも適用可能であり、まず、図２に示すように、ベランダ用の型枠Ｆを組んで、その型枠Ｆの所定位置にアンカー穴形成用治具を配置する。
アンカー穴形成用治具は、保形部材１の外側に有底筒状の穴形成部材２を外嵌し、例えば、紐やゴムバンドのような取り付け具４により穴形成部材２を保形部材１に固定して配置し、詳しい説明は省略するが、適宜保持手段を用いて、例えば、型枠Ｆに保持させる。
【００２３】
そして、型枠Ｆ内にコンクリートＣを打設するのであり、それによって、コンクリートＣの一部が、織布または不織布からなる穴形成部材２の繊維構造体に含侵して繊維構造体内に侵入し、その状態でコンクリートＣが固化する。
コンクリートＣが固化した後、図３に示すように、保形部材１を上方へ抜き取り、コンクリートＣの上面から穴形成部材２が突出する場合には、複数本のミシン目あるいはスリット３のうち、適当なミシン目あるいはスリット３から上方を切断し、下方の穴形成部材２は、固化したコンクリートＣ、つまり、ベランダＶ内に残置し、ベランダＶへのアンカー穴Ｈの形成を完了するのであり、ベランダＶを工場で構築する場合には、この状態で現場へ搬入することになる。
ただし、穴形成部材２は、必ずしもベランダＶ内に残置する必要はなく、穴形成部材２の全てを取り除いてアンカー穴Ｈを形成することもできる。
【００２４】
その後、図４に示すように、アンカー穴Ｈ内に手摺り用の柱Ａの基部を位置させて、アンカー穴Ｈ内にモルタルＭや接着性を有する各種の充填物などを充填するのであり、穴形成部材２がベランダＶ内に残置されている場合には、モルタルＭなどの充填物の一部が繊維構造体からなる穴形成部材２に含侵して固化するので、ベランダＶに対してモルタルＭを強固に取り付けることができ、その結果、手摺り用の柱ＡをベランダＶに強固に取り付けることができるとともに、繊維構造体からなる穴形成部材２が補強部材として機能するので、ベランダＶに対するモルタルＭなどの取り付け部分を補強することにもなる。
また、穴形成部材２がベランダＶ内に残置されていない場合には、繊維構造体からなる穴形成部材２の取り除きにより、アンカー穴Ｈの内面には細かい凹凸が形成されているので、この場合にも、ベランダＶに対してモルタルＭなどを強固に取り付けて、その結果、手摺り用の柱ＡをベランダＶに強固に取り付けることができる。
そして、いずれの場合においても、図５に示すように、ベランダＶの上面をモルタルＭで仕上げて、柱Ａの取り付け作業を完了する。
【００２５】
〔別実施形態〕
（１）先の実施形態では、保持部材１を有底中空の保持部材本体１ａと取り外し可能な保持部材蓋体１ｂにより構成した例を示したが、保持部材１全体を合成樹脂や木材により中実構造に構成することもでき、その保持部材１の形状についても、先の実施形態のような断面矩形の形状に限るものではなく、断面形状を円形や楕円形にしたり、五角以上の多角形にするなど、種々の形状にして実施することができる。
【００２６】
（２）先の実施形態では、穴形成部材２を織布または不織布により形成した例を示したが、その織布または不織布に補強用のカーボンファイバやグラスファイバなどを混入することができるのは勿論のこと、例えば、ステンレス、カーボンファイバ、グラスファイバなどの細線を使用して細かい網目状の穴形成部材２を形成して実施することもできる。
要するに、穴形成部材２には、コンクリートＣやモルタルＭ、あるいは、その他の接着性を有する充填物などが含侵し得る機能があればよく、したがって、本明細書においては、そのような機能を備えたものを「繊維構造体」と総称する。
さらに、穴形成部材２の形状についても種々の変更が可能であるが、保持部材１の形状に合わせるのが好ましく、また、穴形成部材２に設ける切断用の切り目３についても、先の実施形態で示したミシン目やスリットに限らず、種々の形態で実施することができ、かつ、その本数も任意である。
【００２７】
（３）先の実施形態では、保持部材１に穴形成部材２を取り付ける取り付け具４として紐やゴムバンドを例示したが、両面テープや面テープ、あるいは、接着剤を使用して取り付けることもでき、また、引っ掛け用の金具などのような簡易な取り付け具を使用して取り付けたり、磁石を利用して取り付けることもできる。
さらに、コンクリート構造物の一例としてベランダＶを示したが、例えば、一般の道路における歩道を対象として、その歩道に手摺り用の柱を取り付ける場合、あるいは、各種建築物におけるコンクリート構造物を対象として、そのコンクリート構造物に柱や基礎用のアンカーを取り付ける場合などにも適用することができる。
【図面の簡単な説明】
【００２８】
【図１】アンカー穴形成用治具の分解斜視図
【図２】コンクリート構造物にアンカーを取り付ける工程を示す断面図
【図３】コンクリート構造物にアンカーを取り付ける工程を示す断面図
【図４】コンクリート構造物にアンカーを取り付ける工程を示す断面図
【図５】コンクリート構造物にアンカーを取り付ける工程を示す断面図
【符号の説明】
【００２９】
１        保持部材
２        穴形成部材
３        切断用の切り目
Ａ        アンカー
Ｃ        コンクリート
Ｈ        アンカー穴
Ｍ        モルタル
Ｖ        コンクリート構造物
【図１】
2005207191.tif 000003
【図２】
2005207191.tif 000004
【図３】
2005207191.tif 000005
【図４】
2005207191.tif 000006
【図５】
2005207191.tif 000007